(57)【要約】【課題】光ファイバケーブルをコネクタに確実に、そして装置構成を小形として、作業現場で簡便に作業することのできる光ファイバケーブルのコネクタ接続端子を提供する。【解決手段】コネクタは一方側に、通孔部を有するフェルールおよび、外面部につば部を有するコネクタプラグと、他方側にハウジングとを備え、長手方向に並列して延在するものとされ、ハウジングは、一側で前記通孔部に連通され、他側で開放され、外面部に開放窓部の形成された光ファイバケーブル挿入孔部、これに連通するファイバ被覆体挿入孔部を備えて、該ファイバ被覆体挿入孔部の内方に向けて形成された多数の突起を有し、コネクタプラグはハウジングを介在してエレメント部に接続される。【選択図】図１
2008241729.tif 000002
【特許請求の範囲】
【請求項１】
光ファイバ被覆体およびこの光ファイバ被覆体に被覆された光ファイバを備えた光ファイバケーブルのエレメント部がコネクタに接続される構造の光ファイバケーブルのコネクタ接続端子において、
前記コネクタは一方側に、通孔部を有するフェルールを備えたコネクタプラグと、他方側に該コネクタに一体されたハウジングとを備え、前記フェルールと前記ハウジングは長手方向に並列して延在するものとされ、
前記ハウジングは、一側で前記通孔部に連通され、ファイバ被覆体を挿入するファイバ被覆体挿入孔部および光ファイバケーブル挿入孔部を備え、該光ファイバ挿入孔部の内方に向けて形成された多数の突起を有する把持部を備え、
前記光ファイバは、前記ファイバ被覆体挿入孔から他の光ファイバが接続されることなく、前記通孔部の先端まで配線され、
前記ハウジングは前記多数の突起によって前記光ファイバケーブルのエレメント部に機械的に保持されて、前記コネクタプラグが該ハウジングを介在して光ファイバケーブルのエレメント部に接続されること
を特徴とする光ファイバケーブルのコネクタ接続端子。
【請求項２】
光ファイバ被覆体およびこの光ファイバ被覆体に被覆された光ファイバを備えた光ファイバケーブルのエレメント部がコネクタに接続される構造の光ファイバケーブルのコネクタ接続端子において、
前記コネクタは一方側に、通孔部を有するフェルールおよび、外面部につば部を有するコネクタプラグと、他方側にハウジングとを備え、前記フェルールと前記ハウジングは前記つば部の断面形状に対して小さな断面形状を有することによってこれらフェルール、つば部およびハウジングの三者は長手方向に並列して延在するものとされ、
前記ハウジングは、一側で前記通孔部に連通され、ファイバ被覆体挿入孔部および光ファイバケーブル挿入孔部を備えて、該光ファイバ挿入孔部の内方に向けて形成された多数の突起を有し、
前記光ファイバは、前記ファイバ被覆体挿入孔から他の光ファイバが接続されることなく、前記通孔部の先端まで配線され、
前記ハウジングは前記多数の突起によって前記光ファイバケーブルのエレメント部に機械的に保持されるようにされたこと
を特徴とする光ファイバケーブルのコネクタ接続端子。
【請求項３】
請求項１または２において、前記ハウジングは、一方の接続部を備え、前記コネクタプラグは、
他方の接続部を備えて両接続部が接続されて一体とされ、以って前記ハウジングは前記コネクタプラグに一体化されることを特徴とする光ファイバケーブルのコネクタ接続端子。
【請求項４】
請求項１または２において、前記ハウジングと前記コネクタプラグとは一体物として形成されることを特徴とする光ファイバケーブルのコネクタ接続端子。
【請求項５】
請求項１または２において、前記光ファイバケーブル被覆体は、先端がとがった形状とされて形成された前記突起がささることによって、かしめることなく機械的に保持されることを特徴とする光ファイバケーブルのコネクタ接続端子。
【請求項６】
請求項１または２において、前記光ファイバケーブル被覆体は、かしめられた丸形状に丸められたハウジングによって機械的に保持されることを特徴とすることを特徴とする光ファイバケーブルのコネクタ接続端子。
【請求項７】
請求項１から６いずれかにおいて、前記ハウジングは前記開放窓を閉じる回転可能な蓋を備えることを特徴とする光ファイバケーブルのコネクタ接続端子。
【請求項８】
光ファイバ被覆体およびこの光ファイバ被覆体に被覆された光ファイバを備えた光ファイバケーブルのエレメント部がコネクタに接続される構造の光ファイバケーブルのコネクタ接続端子において、
前記コネクタは一方側に、通孔部を有するフェルールおよび、外面部につば部を有するコネクタプラグと、他方側にハウジングとを備え、前記フェルールと前記ハウジングは前記つば部の断面形状に対して小さな断面形状を有することによってこれらフェルール、つば部およびハウジングの三者は長手方向に並列して延在するものとされ、
前記ハウジングは、一側で前記通孔部に連通され、ファイバ被覆体挿入孔部および光ファイバケーブル挿入孔部を備えて、該ファイバケーブル挿入孔部の内方に向けて形成された多数の突起を有し、
前記ハウジングは前記多数の突起によって前記光ファイバケーブルのエレメント部に機械的に保持されるようにされたこと
を特徴とする光ファイバケーブルのコネクタ接続端子。
【請求項９】
請求項１から８のいずれかにおいて、前記ハウジングの外側に、かつ摺動可能にして内筒が設けられ、該内筒の外側に設けられ、前記コネクタプラグを包囲し、かつ該内筒の一部において、固着された外筒が設けられ、前記ハウジングとの間にコイルばねが配設されてコネクタフレームが構成されて、フェルール、ハウジングおよびエレメント部が一体となって内筒および外筒に対して長手方向に可動することを特徴とする光ファイバケーブルのコネクタ接続端子。
【請求項１０】
請求項１から９において、前記把持部は別体構成の外被把持体に設けられ、前記外被把持体は前記ハウジングに一体として接続されて前記ハウジングの一部を構成することを特徴とする光ファイバケーブルのコネクタ接続端子。
【請求項１１】
請求項９または１０において、前記外筒の先端部には係合部が設けられ、前記外筒に設けた係合部はつまみの内部に形成されたけ係合部によって装着可能とされて、前記外筒をカバーする形でつまみが設けられることを特徴とする光ファイバケーブルのコネクタ接続端子。
【請求項１２】
光ファイバ被覆体およびこの光ファイバ被覆体に被覆された光ファイバを備えた光ファイバケーブルのエレメント部にコネクタを接続する光ファイバケーブルのコネクタ接続端子形成方法において、
一方側に、通孔部を有するフェルールを有するコネクタプラグと、他方側にハウジングとを備え、これらフェルールおよびハウジングが長手方向に並列して延在して前記コネクタが形成され、
一側で前記通孔部に連通され、ファイバ被覆体挿入孔部および光ファイバケーブル挿入孔部を有し、該光ファイバ挿入孔部の内方に向けて多数の突起が形成されて、前記ハウジングが形成され、
前記光ファイバが前記ファイバ被覆体挿入孔部から前記通孔部の先端まで前記ファイバ被覆体と一体の状態で配線され、かつこの場合に前記エレメント部が前記光ファイバケーブル挿入孔部に配設され、
前記光ファイバケーブル挿入孔部に配設された前記エレメント部に、前記突起によって前記ハウジングが機械的に保持されるようにしたこと
を特徴とする光ファイバケーブルのコネクタ接続端子の形成方法。
【請求項１３】
請求項１１において、前記ハウジングは前記エレメント部に、該エレメント部の挿入と同時に前記突起によって機械的に保持され、もしくは挿入したと同時に前記突起によって機械的に仮保持され、その後かしめによって機械的に保持されるようにしたことを特徴とする光ファイバケーブルのコネクタ接続端子の形成方法。
【発明の詳細な説明】
【技術分野】
【０００１】
本発明は、光ファイバケーブルのコネクタ接続構造およびコネクタ接続端子の形成方法に関する。
【背景技術】
【０００２】
光ファイバケーブルは、適宜距離毎に光コネクタプラグ（コネクタプラグ）を備えたコネクタを用いて接続するように敷設されている。
【０００３】
特許文献１には、光ファイバを用いた光信号伝送路中に配設される光コネクタプラグにおいて、光ファイバの端部に接続されたフェルールを一方側より挿入して他方側へ抜止保持する収容孔部を有するコネクタハウジングと、光ファイバに套嵌される伸縮変形自在な伸縮部と、前記フェルールの前記一方側の端部に接続される連結部とを有する弾性材よりなるインナーブーツと、光ファイバに套嵌される共に、前記インナーブーツをフェルール側に圧縮して前記コネクタハウジングの収容孔部の前記一方側の開口を閉塞した状態に装着されるキャップ体とを備え、前記インナーブーツの伸縮部は、前記コネクタハウジングに対するキャップ体の装着状態で、圧縮状態とされた前記伸縮部が光ファイバ外周面と前記収容孔部内周面に密着するように形成されてなることを特徴とする光コネクタプラグが記載されている。
【０００４】
そして、前記フェルールは金属材よりなり、前記インナーブーツの連結部がフェルール端部内に挿入され、フェルールと連結部および光ファイバとがかしめ止めされてなることを特徴とすることが記載されている。
【０００５】
特許文献２には、少なくとも一つの光ファイバ整列孔を有し、該光ファイバ整列孔内に光ファイバを固定した１対のフェルール同士を、または、該フェルールを含む１対のプラグ同士を、屈折率整合性を有する接続部材を挟んで光学接続した光コネクタであって、該接続部材として、単一層からなるシート状粘着材を用いたことを特徴とする光コネクタが記載されている。
【０００６】
特許文献３には、第一の光ファイバと第２のファイバとをフェルールに設けた光ファイバ挿入溝の内部で接合する構成、方法が記載されている。
【０００７】
【特許文献１】特開平９−３０４６５２号公報
【特許文献２】特開２００５−３５１９９８号公報
【特許文献３】特開２００５−１１４８６３号公報
【発明の開示】
【発明が解決しようとする課題】
【０００８】
従来、光ファイバケーブルをフェルールを備えた光コネクタ、すなわちコネクタに接続する構造は複雑であった。
【０００９】
本発明は、かかる点に鑑みて光ファイバケーブルをコネクタに確実にそして装着構成を小形として、作業現場で簡便に作業することのできる光ファイバケーブルのコネクタ接続構造を提供することを目的とする。
【課題を解決するための手段】
【００１０】
本発明は、光ファイバケーブルのエレメント部からむき出された光ファイバはフェルールの通孔部の先端まで配線されて、フェルールの通孔部で従来のように接続される接続点を有さずにむき出された状態まで先端まで（先端を越えて配線され、越えた部分は研磨される）配線されることを１つの特徴とし、このためにフェルールと一体化され、ファイバ被覆体を収納するハウジングをファイバ被覆体の外に設けたことを他の特徴とし、ハウジングは一体製作もしくは別体製作で一体とされた突起を備えた把持部（把持体）を有し、突起によって光ファイバケーブルのエレメント部に固着されることを他の特徴としてコネクタ端子が構成され、この構成によって光ファイバケーブルからファイバ被覆体をむき出し、更にファイバ被覆体から光ファイバをむき出してこの状態でコネクタの端子に配線されると、光ファイバはフェルールの通孔部に配線され、ファイバ被覆はハウジング内に配置され、ハウジングはエレメント部に把持され、フェルールを備えたコネクタプラグはハウジングを介在してエレメント部に把持されることになる特徴のある構成を提供する。
【００１１】
上述したハウジングは、フェルール（あるいはフェルールを備えたコネクタプラグ）とは一体製作（この場合フェルール用のハウジングとなる）もしくは別体製作で一体とされてもよい。いずれにしてもファイバ被覆体挿入（収納）孔を備えるハウジングはフェルールとエレメント部との間に介在してフェルールを備えたコネクタプラグをエレメント部に保持させることになる。
【００１２】
本発明は、上述のハウジングを包囲して、かつ摺動可能にして内筒となるストップリングが設けられ、該ストップリングの外側に設けられ、コネクタプラグを包囲し、かつストップリングの一部において、固着された外筒となるプラグフレームが設けられ、ハウジングもしくはハウジングに一体化されたコネクタプラグとの間にコイルばねが配設されてコネクタフレームを構成していることを他の特徴とする。このようにして、一方のコネクタ端子を形成し、他方のコネクタ端子との接合を小形にして容易に実現する。
【００１３】
本発明は、光ファイバ被覆体およびこの光ファイバ被覆体に被覆された光ファイバを備えた光ファイバケーブルのエレメント部がコネクタに接続される構造の光ファイバケーブルのコネクタ接続端子において、
前記コネクタは一方側に、通孔部を有するフェルールを備えたコネクタプラグと、他方側に該コネクタに一体されたハウジングとを備え、前記フェルールと前記ハウジングは長手方向に並列して延在するものとされ、
前記ハウジングは、一側で前記通孔部に連通され、該ファイバ被覆体を挿入するファイバ被覆体挿入孔部および光ファイバケーブル挿入孔部を備え、該光ファイバ挿入孔部の内方に向けて形成された多数の突起を有する把持部を備え、
前記光ファイバは、前記ファイバ被覆体挿入孔から他の光ファイバが接続されることなく、前記通孔部の先端まで配線され、
前記ハウジングは前記多数の突起によって前記光ファイバケーブルのエレメント部に機械的に保持されて、前記コネクタプラグが該ハウジングを介在して光ファイバケーブルのエレメント部に接続されること
を特徴とする光ファイバケーブルのコネクタ接続端子を提供する。
【００１４】
本発明は、光ファイバ被覆体およびこの光ファイバ被覆体に被覆された光ファイバを備えた光ファイバケーブルのエレメント部がコネクタに接続される構造の光ファイバケーブルのコネクタ接続端子において、
前記コネクタは一方側に、通孔部を有するフェルールおよび、外面部につば部を有するコネクタプラグと、他方側にハウジングとを備え、前記フェルールと前記ハウジングは前記つば部の断面形状に対して小さな断面形状を有することによってこれらフェルール、つば部およびハウジングの三者は長手方向に並列して延在するものとされ、
前記ハウジングは、一側で前記通孔部に連通され、ファイバ被覆体挿入孔部および光ファイバケーブル挿入孔部を備えて、該光ファイバ挿入孔部の内方に向けて形成された多数の突起を有し、
前記光ファイバは、前記ファイバ被覆体挿入孔から他の光ファイバが接続されることなく、前記通孔部の先端まで配線され、
前記ハウジングは前記多数の突起によって前記光ファイバケーブルのエレメント部に機械的に保持されるようにされたこと
を特徴とする光ファイバケーブルのコネクタ接続端子を提供する。
【００１５】
本発明は、前記ハウジングは、一方の接続部を備え、前記コネクタプラグは、
他方の接続部を備えて両接続部が接続されて一体とされ、以って前記ハウジングは前記コネクタプラグに一体化されることを特徴とする光ファイバケーブルのコネクタ接続端子を提供する。
【００１６】
本発明は、前記ハウジングと前記コネクタプラグとは一体物として形成されることを特徴とする光ファイバケーブルのコネクタ接続端子を提供する。
【００１７】
本発明は、前記光ファイバケーブル被覆体は、先端がとがった形状とされて形成された前記突起がささることによって、かしめることなく機械的に保持されることを特徴とする光ファイバケーブルのコネクタ接続端子を提供する。
【００１８】
本発明は、前記光ファイバケーブル被覆体は、かしめられた丸形状に丸められたハウジングによって機械的に保持されることを特徴とすることを特徴とする光ファイバケーブルのコネクタ接続端子を提供する。
【００１９】
本発明は、前記ハウジングは前記開放窓を閉じる回転可能な蓋を備えることを特徴とする光ファイバケーブルのコネクタ接続端子を提供する。
【００２０】
本発明は、光ファイバ被覆体およびこの光ファイバ被覆体に被覆された光ファイバを備えた光ファイバケーブルのエレメント部がコネクタに接続される構造の光ファイバケーブルのコネクタ接続端子において、
前記コネクタは一方側に、通孔部を有するフェルールおよび、外面部につば部を有するコネクタプラグと、他方側にハウジングとを備え、前記フェルールと前記ハウジングは前記つば部の断面形状に対して小さな断面形状を有することによってこれらフェルール、つば部およびハウジングの三者は長手方向に並列して延在するものとされ、
前記ハウジングは、一側で前記通孔部に連通され、ファイバ被覆体挿入孔部および光ファイバケーブル挿入孔部を備えて、該ファイバケーブル挿入孔部の内方に向けて形成された多数の突起を有し、
前記ハウジングは前記多数の突起によって前記光ファイバケーブルのエレメント部に機械的に保持されるようにされたこと
を特徴とする光ファイバケーブルのコネクタ接続端子を提供する。
【００２１】
本発明は、前記ハウジングの外側に、かつ摺動可能にして内筒が設けられ、該内筒の外側に設けられ、前記コネクタプラグを包囲し、かつ該内筒の一部において、固着された外筒が設けられ、前記ハウジングとの間にコイルばねが配設されてコネクタフレームが構成されて、フェルール、ハウジングおよびエレメント部が一体となって内筒および外筒に対して長手方向に可動することを特徴とする光ファイバケーブルのコネクタ接続端子を提供する。
【００２２】
本発明は、前記把持部は別体構成の外被把持体に設けられ、前記外被把持体は前記ハウジングに一体として接続されて前記ハウジングの一部を構成することを特徴とする光ファイバケーブルのコネクタ接続端子を提供する。
【００２３】
本発明は、前記外筒の先端部には係合部が設けられ、前記外筒に設けた係合部はつまみの内部に形成されたけ係合部によって装着可能とされて、前記外筒をカバーする形でつまみが設けられることを特徴とする光ファイバケーブルのコネクタ接続端子を提供する。
【００２４】
本発明は、光ファイバ被覆体およびこの光ファイバ被覆体に被覆された光ファイバを備えた光ファイバケーブルのエレメント部にコネクタを接続する光ファイバケーブルのコネクタ接続端子形成方法において、
一方側に、通孔部を有するフェルールを有するコネクタプラグと、他方側にハウジングとを備え、これらフェルールおよびハウジングが長手方向に並列して延在して前記コネクタが形成され、
一側で前記通孔部に連通され、ファイバ被覆体挿入孔部および光ファイバケーブル挿入孔部を有し、該光ファイバ挿入孔部の内方に向けて多数の突起が形成されて、前記ハウジングが形成され、
前記光ファイバが前記ファイバ被覆体挿入孔部から前記通孔部の先端まで前記ファイバ被覆体と一体の状態で配線され、かつこの場合に前記エレメント部が前記光ファイバケーブル挿入孔部に配設され、
前記光ファイバケーブル挿入孔部に配設された前記エレメント部に、前記突起によって前記ハウジングが機械的に保持されるようにしたこと
を特徴とする光ファイバケーブルのコネクタ接続端子の形成方法を提供する。
【００２５】
本発明は、前記ハウジングは前記エレメント部に、該エレメント部の挿入と同時に前記突起によって機械的に保持され、もしくは挿入したと同時に前記突起によって機械的に仮保持され、その後かしめによって機械的に保持されるようにしたことを特徴とする光ファイバケーブルのコネクタ接続端子の形成方法を提供する。
【発明の効果】
【００２６】
本発明は、上述のようにハウジングの内部に突起を設けてこの突起によって機械的にコネクタを光ファイバケーブルのエレメント部に固定する構造を採用しており、これによって光ファイバケーブルをコネクタに確実に、そして装置構成を小形として、作業現場で簡単に作業することのできる光ファイバケーブルのコネクタ接続構造を提供することができる。
【００２７】
また、本発明によれば、フェルールの内部で光ファイバ同士を接合することを行わないで済む構造、方法を提供することができる。
【発明を実施するための最良の形態】
【００２８】
以下、本発明の実施例を図面に基づいて説明する。
【実施例１】
【００２９】
図１は、本発明の実施例の構成を示す図である。
図１において、光ファイバケーブルのコネクタ接続構造１００は、光ファイバケーブルドロップケーブルのエレメント部１１、このドロップケーブルのエレメント部１１に内蔵された光ファイバ被覆体２、この光ファイバ被覆体２によって被覆された光ファイバ３、熱収縮チューブ４、ハウジング５およびコネクタプラグ６から構成される。熱収縮チューブ４、ハウジング５およびコネクタプラグ６によってコネクタ６０が構成される。
【００３０】
図２は、光ファイバケーブル１０の構成を示し、図２（１）がドロップケーブル形態の光ファイバケーブル１０を示し、図２（２）がインドアケーブル形態の光ファイバケーブル１０を示す。図２（１）において、光ファイバケーブル１０は、エレメント部１１と支持部１２とからなり、エレメント部１１は、中央部に配置された光ファイバ（光ファイバ心線もしくは光ファイバ素線）３とその両側に配置されたテンションメンバ１３とこれらを被覆する樹脂製の外被１４から構成され、支持部１２は支持線１５とその外皮１６から構成され、支持部１２は支持部材１７によってエレメント部１１を支持している。図２（２）に示す光ファイバケーブル１０は支持部１２がない点が図２（１）の構成と異なるが、他の構成は図２（１）に示す構成と同様である。図１において支持線１５は上から見て下側に位置させてある。
【００３１】
図１において、光ファイバ３は光ファイバ被覆体２によって被覆され、光ファイバ３は光ファイバ被覆体２がはぎ取られ（むき出され）、先端部においてむき出しとなる。
【００３２】
コネクタプラグ６は、内部にフェルールを備える。フェルール自体をコネクタプラグあるいは簡易プラグと呼称する場合があるが、本実施例では、機能的に区別してフェルールを備えたコネクタプラグと称することにする。コネクタプラグ６は、接続部となる後端部２１、中央部に設けた４形形状のつば部２２（つば部２２は丸形であってもよい。）および一端側のフェルール２３の基部（先端部）から構成される。フェルールはつば部２２が形成されない場合もある。
【００３３】
コネクタプラグ６は、一方側に、通孔部１０を有するフェルール２３と、外面部につば部２２と、他方側に、ハウジング５とを備え、フェルール２３とハウジング５はつば部２２の断面形状に比べて小さな断面形状とされ、これらの三者は長手方向に並列して延在、すなわち配設される。
【００３４】
図１に示すように、フェルール２３はその円中心部にテーブル長手方向に穿たれた後端部２１の端面から先端部の基部２３の端面に達する通孔部１０を備える。光ファイバ３はこの通孔部１０を貫通し、先端他方に突き出される。その後、突き出された光ファイバはフェルール端面が研磨されることによりフェルール端面にそろえられる。ここで重要なことは、従来この通孔部１０に予め光ファイバの一部を設置しておいて通孔部１０内で接続することを行っていたが、本実施例ではこのような接続を行うことなく光ファイバ３を先端他方に突き出す配線方法を採用していることである。
【００３５】
ハウジング５は、内筒状の係止部となる把持部２５と接続部２６を備えたハウジング本体２４とで形成される。このハウジング本体２４の内部に形成された光ファイバケーブル、この実施例の場合、光ファイバケーブルのエレメント部１１を挿入し、位置決めする。把持部２５の入口側に開放された光ファイバケーブル挿入孔部２８と、接続部２６に設けられた固定孔４０を有する。開放端部２７を介してエレメント部１が挿入されて、光ファイバケーブル挿入孔部２８に配設され、更に光ファイバ被覆体２が配設される。フェルール２３に設けた通孔部１０にファイバ被覆体挿入孔部３８は連通しており、かつ光ファイバケーブル挿入孔部２８はファイバ被覆体挿入孔部３８に連通しており、ファイバ被覆体挿入孔部３８を介して光ファイバ３は通孔部１０内に配設される。ハウジング５の外面部に形成される形で開放窓部、すなわち挿入スリット３０が形成され、光ファイバケーブル挿入孔２８の内方に向かって先端のとがった多数の突起２９が設けられる。そして、ハウジング本体２４の把持部２５には、光ファイバケーブル挿入孔部２８に面して挿入スリット３０が設けてあるので、エレメント部１をケーブル長手方向に対して直角方向から挿入することができる。この光ファイバ被覆体２のファイバ被覆体挿入孔部３８への挿入、配設に際して、光ファイバ３をフェルールの通孔部１０に同時に通線する。
【００３６】
ドロップケーブルのエレメント部１をコネクタ６０に取り付ける方法について図３を用いて説明する。
【００３７】
図３（１）は、本実施例で用いたハウジング５の把持部分を従来法によってエレメント部１をコネクタ６０に取り付けた場合に想定される取り付け手法を示す。本実施例の把持部分を用いるのは理解し易くするためである。
【００３８】
エレメント部の外被を剥いで光ファイバを出す（Ｓ１）。エレメント部を側方から把持部材に挿入し、エレメント部の外被に側方から把持部材を取り付ける（Ｓ２）。接着剤が注入されたフェルールに光ファイバを挿入し、接着剤を熱硬化させ、フェルールの立端（右端）を研磨する（Ｓ３）。
【００３９】
フェルールを備えたコネクタプラグを把持部分に取り付ける。このために、まず、左側の光ファイバと予めフェルールに固着されたフェルールとの光ファイバ接続点が定められる（メカニカルスプライス）。ハウジングを外方から把持部材について機械的に、そしてコネクタプラグについて保持して組立を完了させる。このとき、コネクタ内部で光ファイバ同士が接続される（Ｓ４）。
【００４０】
これに対して本実施例の方法は図３（２）に示すようになる。エレメント部１の外被１４を剥いで光ファイバ３を出す（Ｓ１１）。
【００４１】
エレメント部を側方から把持部材に挿入し、エレメント部１の外被に、把持部材２５および接続部２６を備えたハウジング５を把持部材２５を介して取り付ける（Ｓ１２）。通孔部１０を備えたフェルール２３を有するコネクタプラグ６を準備する（Ｓ１３）。通孔部１０には接着剤のみ注入しておく。
【００４２】
コネクタプラグ６をハウジング５にそれぞれの接着部２６、２１を用いて接続し、一体化する。この時、接着剤が注入されたフェルール２３に光ファイバ３を挿入し、接着剤を熱硬化させる（Ｓ１４）。フェルール（２３）の先端から出ている光ファイバ３を研磨する（Ｓ１５）。この方法によれば、コネクタ内部で光ファイバ同士を接続することは行わないで済み、作業が極めて簡便される。
【００４３】
このような差異が生じていた理由の１つは、従来法にあってはドロップケーブルを配管に通線した後に、ステップＳ１−Ｓ４の作業を行う手法であるのに対して、本実施例にあってはステップＳ１−Ｓ５の作業を行った後に、キャップしてコネクタ付きのドロップケーブルとして配管に通線する手法を採用していることによる。
【００４４】
この挿入に際してはまず、ハウジング５の接続部２６をコネクタプラグ６の接続部（先端部２１）に接続して一体化してから行うようにしてもよい。この接続には樹脂を用いることができるが、機械的な接続としてもよい。このような一体化を行うと、その構成は後述する実施例２と同様な組み立て方法が採用されることになる。
【００４５】
この場合、光ファイバ３がフェルール２３の通孔部１０に、そして光ファイバ被覆体２が挿入スリット３０から直角方向から光ファイバケーブル挿入孔部２８に挿入され、しかる後にエレメント部１が直角方向から挿入スリット３０から押込まれて挿入される。係止部２の内壁には、光ファイバケーブル挿入孔部２８内に配設されて多数の突起２９が設けてあるので挿入スリット３０から挿入されたエレメント部１は、先端がとがった部分がエレメント部１にささり、かしめを要することなく機械的にエレメント部１にハウジング５を保持させることになる。この場合、ハウジング５にはコネクタプラグ６が一体化されているのでコネクタプラグ６はハウジング５を介してエレメント１に保持される。そして、この場合、これらの保持は挿入スリット３０を介して挿圧、挿入することの１つのステップがコネクタ６０がエレメント部１に固着され、前述のようにフェルール２３の通孔部１０への光ファイバ３の通線はファイバ被覆体２と一体の状態で、すなわち他の光ファイバとの接続を要することなく行われる。
【００４６】
通孔部１０に通線された光ファイバ３は、通孔部１０内に充填した樹脂によって固定され、エレメント部１は突起２９を介してハウジング５に接続される。
【００４７】
このように、光ファイバケーブルのエレメント部１がケーブル長手方向に対して直角方向に挿入スリット３０を介して挿入され押込まれると、多数の突起２９がエレメント部１を外被１４側、すなわち外方から機械的に固定することになる。このようにして、機械的固定構造が形成される。この実施例では、コネクタプラグ６は、ケーブル長手方向の一端側の部位に接続部２６を有し、ハウジング５はケーブル長手方向の一端側の部位に接続部２６を有し、双方の接続部が接続されることによってコネクタプラグ６およびハウジング５が一体構造とされるようにしている。ハウジング５には、回転可能にして蓋３２が設けてあって、ハウジング５をエレメント部に固定するとこの蓋３２を閉じ、機械的に固着する。
【００４８】
図５の下図に示すようにして、エレメント部１、ハウジング５およびコネクタプラグ６が接合されると熱収縮チューブ４がハウジング５の外表面に取り付けられる。このように形成した光ファイバケーブルのコネクタ６０の接続構造１００は、突起２９による機械的固定構造によって、また通孔部１０には通線する簡易型の通線構造とすることができて他の光ファイバに対して接続を要することがないので、工場ですべての部品を製造しておいて、現場では機械的固定を行えば接続完了させることができ簡便化された光ファイバケーブルのコネクタ接続端子を提供することができる。
【００４９】
そして、このような光ファイバ被覆体２およびこの光ファイバ被覆体２に被覆された光ファイバ３を備えた光ファイバケーブルのエレメント部１がコネクタ６０に接続される構造の光ファイバケーブルのコネクタ接続端子によれば、
一方側に、通孔部１０を有するフェルールおよび外面部に、つば部２２を有するコネクタプラグ６と、他方側に、ハウジング５とを備え、これらフェルール、およびハウジング５の二者が、あるいはフェルール、つば部２２およびハウジング５の三者が長手方向に並列して延在してコネクタ６０が形成され、
一側で通孔部１０に連通され、他側で開放され、外面部に挿入スリット３０の形成された光ファイバケーブル挿入孔部２８およびこの光ファイバケーブル挿入孔部２８に連通するファイバ被覆体挿入孔部３８を有し、該光ファイバケーブル挿入孔部２８の内方に向けて多数の突起２９が形成されて、ハウジング５が形成され、
先端が素線とされた光ファイバ３が光ファイバケーブル挿入孔部２８およびファイバ被覆体挿入孔部３８から通孔部１０の先端までファイバ被覆体２と一体の状態で配線され、かつこの場合にエレメント部１が挿入スリット３０から光ファイバケーブル挿入孔部２８に配設され、ファイバ被覆体挿入孔部３８に光ファイバ被覆体が配設され、
光ファイバケーブル挿入孔部２８に配設されたエレメント部１に、突起２９によってハウジング５が機械的に保持されるようにした光ファイバケーブルのコネクタ接続端子の形成方法が構成される。
【００５０】
そして、ハウジング５は、エレメント部１に、エレメント部１の挿入と同時に突起によって機械的に保持され、光ファイバケーブルのコネクタ接続端子の形成方法が構成される。
【実施例２】
【００５１】
図４は、本発明の他の実施例の構成を示す図である。先の実施例と同一の構成には同一の番号が付してあり、先の実施例について行った説明を援用するものとする。
【００５２】
この実施例が先の実施例と異なる点は、先の実施例ではハウジング５は、コネクタプラグ６と別体として構成され、ハウジング５の有する接続部２６とコネクタプラグ６の有する接続部２１とが接続されることによってコネクタプラグ６に一体化されてコネクタ６０が形成されたが、本実施例にあっては、ハウジング５は、コネクタプラグ６に一体的に製造されてコネクタ６０が形成されることである。
【００５３】
図４において、コネクタ６０は一方側に、通孔部１０を有するフェルールおよび、外面部に、つば部２２を有するコネクタプラグ６と、他方側にハウジング５とを備え、フェルールとハウジング５はつば部２２の断面形状に対して小さな断面形状を有することによって、これらフェルール、つば部２２およびハウジング５の三者は長手方向に並列して延在するものとされ、
ハウジング５は、一側で通孔部１０に連通されたファイバ被覆体挿入孔部３８および他側で開放され、外面部に挿入スリット３０の形成された光ファイバケーブル挿入孔部２８を備えて、該光ファイバケーブル挿入孔部２８の内方に向けて形成された多数の突起２９を有して、コネクタプラグ６と一体に製造、形成され、
光ファイバ３は、光ファイバケーブル挿入孔部２８およびファイバ被覆体挿入孔部３８から他の光ファイバが接続されることなく、通孔部１０の先端まで配線され、
前記ハウジング５は多数の突起２９によって光ファイバケーブルのエレメント部１に機械的に保持されるようにされる。
そして、ハウジング５は、エレメント部１の端部の挿入と同時に突起２９によって機械的に保持されるのは先の実施例と同様である。
【００５４】
光ファイバ３、光ファイバ被覆体２およびエレメント部１のコネクタ６０への挿入に際しては、光ファイバ３がフェルール２３の通孔部１０に、そして光ファイバ被覆体２が挿入スリット３０から直角方向から光ファイバケーブル挿入孔部２８に挿入され、しかる後にエレメント部１が直角方向から挿入スリット３０から押込まれて挿入される。把持部２５の内壁には、光ファイバケーブル挿入孔部２８内に配設されて多数の突起２９が設けてあるので挿入スリット３０から挿入されたエレメント部１は、先端がとがった部分がエレメント部１にささり、かしめを要することなく機械的にエレメント部１にハウジング５を保持させることになる。この場合、ハウジング５にはコネクタプラグ６が一体化されているのでコネクタプラグ６はハウジング５を介してエレメント１に保持される。そして、この場合、これらの保持は挿入スリット３０を介して押圧、挿入することの１つのステップがコネクタ６０がエレメント部１に固着され、前述のようにフェルール２３の通孔部１０への光ファイバ３の通線はファイバ被覆体２と一体の状態で、すなわち他の光ファイバとの接続を要することなく行われる。
【００５５】
通孔部１０に通線された光ファイバ３は、通孔部１０内に充填した樹脂によって固定され、エレメント部１は突起２９を介してハウジング５に接続される。
【００５６】
このように、光ファイバケーブルのエレメント部１がケーブル長手方向に対して直角方向に挿入スリット３０を介して挿入され押込まれると、多数の突起２９がエレメント部１を外被１４側、すなわち外方から機械的に固定することになる。このようにして、機械的固定構造が形成される。この実施例では、コネクタプラグ６は、ケーブル長手方向の一端側の部位に接続部２６を有し、ハウジング５はケーブル長手方向の一端側の部位に接続部２６を有し、双方の接続部が接続されることによってコネクタプラグ６およびハウジング５が一体構造とされるようにしている。ハウジング５には、回転可能にして蓋３２が設けてあって、ハウジング５をエレメント部に固定するとこの蓋３２を閉じ、機械的に固着する。
【００５７】
この構成によれば、ハウジング５とコネクタプラグ６が当初から一体化されていることによって、現場での作業が更に簡便化される。
【実施例３】
【００５８】
図５は、本発明の他の実施例の構成を示す図である。先の実施例の構成と同一の構成には同一番号が付してあり、先の実施例について行った説明を援用するものとする。この実施例の場合、ハウジング５の一部の構成が先の実施例のハウジング５の構成と異なる。
図５において、ハウジング５は係止部２５と接続部２６を備えたハウジング本体２４と、光ファイバケーブルのエレメント部１を挿入し、位置決めする。係止部２５に設けた光ファイバケーブル挿入孔部２８を設けることは同じである。光ファイバケーブル挿入孔部２８の内方に向けて設けた多数の突起２９が設けられることも先の実施例と同じである。
【００５９】
この実施例の突起２９は、対峙して配列された弾性を有する２並列突起群からなる。これらは丸形状に丸めた構成とされ、エレメント部１が押し込んで挿入されると、弾性力によってエレメント部１は突起２９を介してハウジング５を仮保持し、その後にかしめ機能、作用によってエレメント部１はハウジング５を機械的に固定することになって固定をするのに樹脂を用いる必要はない。そして、ハウジング５にはファイバ被覆体２および光ファイバ３を挿入するための挿入スリット３１が設けてある。従って、ファイバ被覆体２および光ファイバ３をこの挿入スリット３１から長手方向から、またエレメント部１を挿入スリット３０から長手方向からハウジング５の内部に挿入し、所定の位置に配設することができる。
【００６０】
この挿入に際してはまず、ハウジング５の接続部２６をコネクタプラグ６の接続部（後端部２１）に接続する。この接続は、後端部２１をファイバ被覆体挿入孔部３８に挿入し、接続部２６の端面と後端部２１との端面を樹脂によって接着してハウジング５とコネクタプラグ６を一体化する。次いで、光ファイバ心線３がフェルール２３の通孔に、そして光ファイバ被覆体２がファイバ被覆体挿入孔部３８に挿入され、しかる後にエレメント部１が長手方向から挿入スリット３０から押込まれて挿入される。把持部２５の内壁には均一的に先の実施例に比べて長めの多数の突起２９が設けてある。エレメント部１をスリット３０を介して押し込んで挿入すると各突起の先端部はエレメント部１の外皮１４を仮保持し、ハウジング５をかしめによって機械的に保持する。このようにして、エレメント部１をハウジング５に機械的に固定する。また、このようにして、機械的固定構造が形成される。
【００６１】
ハウジング５には、スリット３０を塞ぐようにして蓋３２が設けてあり、エレメント部１がハウジング５に固定されると、蓋３２が閉じられる。このようにして形成された構成を図４の下図に示す。図３に示すと同様に、ハウジング６をコネクタプラグ６と一体成形体としてもよい。
【００６２】
フェルール２３の先端まで挿通された光ファイバ心線３は、接着剤でフェルール２３に固定され、フェルール２３の端面が研磨される。このようにして、光ファイバ心線３がコネクタプラグ６の内部にフェルール２３を介して把持されることになる。このように形成された光ファイバケーブルのコネクタ６の接続構造１００は、突起２９による機械的固定構造によって小形化することができ、簡便化されることは先の実施例と同様である。
【００６３】
この実施例によれば、ハウジング５は、エレメント部１に、エレメント部１の挿入と同時に突起２９によって機械的に仮保持され、その後かしめによって機械的に保持するようにした光ファイバケーブルのコネクタ接続端子の形成方法が構成される。
【００６４】
光ファイバ被覆体２およびこの光ファイバ被覆体２に被覆された光ファイバを備えた光ファイバケーブルのエレメント部１がコネクタ６０に接続される場合に、従来フェルールの内部に光ファイバを予め通線しておいて接続しようとする光ファイバをこの予め通線された光ファイバに接着し、ハウジングを接着しハウジングによってコネクタプラグを外側から保持する構成とする必要があったが、以上のような実施例によればハウジング５を予めコネクタプラグ６に一体化する構成として光ファイバは通線で接続は要しないために現場での作業を簡便し、コネクタ６０の構成を小形化することができる。
【実施例４】
【００６５】
図６から図８は第四の実施例を示す。図６はその正面図、図７はその斜視図を示し、図６（１）は組み立てた状態を示し、図６（２）は接続時の状態を示す。図６（１）および図７において、フェルールを備えたコネクタプラグ６はハウジング５とコネクタ６０を形成する。本例の場合、ハウジング５はフェルールのハウジング（フェルール用ハウジング）でもある。フェルールの内部には通孔部１０が形成され、ハウジング５の内部には光ファイバケーブル挿入孔部２８およびこれに連通するファイバ被覆体挿入孔部３８が形成され、ファイバ被覆体挿入孔部３８は通孔部１０に連通する。この連通部はフェルールの入口部を漏斗状部４２が形成されて光ファイバを挿入し易くしている。
【００６６】
別体として外被を備えた把持ハウジング４１が形成され、ハウジング５とハウジング５に固定され、ハウジング５の一部の構成とされる。把持ハウジング４１は先の実施例と同様に、多数の突起２９と通線用キャップとの係合部４５を備える。ハウジング５および把持体４１の内部に形成された光ファイバ挿入孔部２８に光ファイバケーブルのエレメント部１１が挿入されて、突起２９によってハウジング５はエレメント部１１に保持され、一体動作することになる。
【００６７】
ハウジング内部に設けたファイバ被覆体挿入孔部３８には、光ファイバ被覆体３が、そしてファイバ被覆体挿入孔部３８には光ファイバ被覆体２が挿入、配置される。すなわち収納される。フェルールに設けた通孔部１０には、前述の実施例と同じようにして光ファイバ３が配線される。
【００６８】
コネクタプラグ６はつば部２２（図６（２）参照、図６（１）では後述するプラグフレーム５３に収納され見えない）を有するが、事例の場合、つば部３２には内部内筒を有してフェルールの外周面に設けられ、ハウジング５の先端にハウジング５と一体的に設けられている。このつば部２２は圧入によってフェルールに一体化され、コネクタプラグ６を形成する。前述した実施例で示したようにして、エレメント部１から光ファイバ被覆体２がむき出され、更に光ファイバ３がむき出されて、むき出されてこのままの状態で光ファイバ３は通孔部１０に、光ファイバ被覆体２はハウジング５内のファイバ被覆体挿入孔部３８に、そしてエレメント部１１は光ファイバ挿入孔部に配設され、ハウジング５はエレメント部１１に固定され、コネクタプラグ６はハウジング５を介在してエレメント部１１に保持される。
【００６９】
ファイバ被覆体挿入孔部３８の一部３８Ａには接着剤が注入され、ファイバ被覆体挿入孔部３８の光ファイバ被覆体２に固定すると共に、ハウジング５とコネクタプラグ６との間および漏斗部４２およびコネクタプラグ６Ａの先端まで流入して光ファイバ３をしっかりと固定することになる。
【００７０】
図８は、フェルール６Ａの構造を示す図である。上述したようにフェルールによってコネクタプラグ６が形成される。図８（１）において、フェルール６Ａは一体型と形成され、フェルール基部２３、フェルールハウジング（ハウジング５）およびフェルールハウジング５に一体化した、切り欠き部を備えたつば部２２から形成され、後部に係合部４３Ｂを備えて他方の係合部４３Ａと係合する。また、後端部に切り欠き部４６を備えて、組み立てられた時にこの切り欠き部４６は上述した光ファイバケーブル挿入孔２８を形成することになる。
【００７１】
フェルール６Ａは、フェルール分割型とすることができる。この場合、ハウジング５は、ハウジング５Ａおよびハウジング５Ｂに分割され、注入剤４４の注入を容易にすると共に、注入剤４４によって一体化される。
【００７２】
このようにして、次の構造を備えた光ファイバケーブルのコネクタ端子が形成される。
コネクタ６０は一方側に、通孔部１０を有するフェルールを備えたコネクタプラグ６と、他方側に該コネクタに一体されたハウジング５とを備え、フェルールとハウジング５は長手方向に並列して延在するものとされる。
【００７３】
ハウジング５は、一側で通孔部１０に連通され、ファイバ被覆体を挿入するファイバ被覆体挿入孔部および光ファイバケーブル挿入孔部を備え、該光ファイバケーブル挿入孔部の内方に向けて形成された多数の突起２９を有する把持部２５を備える。
【００７４】
光ファイバ３は、ファイバ被覆体挿入孔部３８から他の光ファイバが接続されることなく、通孔部１０の先端まで配線される。
【００７５】
ハウジング５は多数の突起２９によって光ファイバケーブルのエレメント部１１に機械的に保持されて、コネクタプラグが該ハウジング５を介在して光ファイバケーブルのエレメント部１１に接続される。
【００７６】
図６（１）および図７において、ハウジング５の外側に、この例の場合一部を包囲する形で内筒であるストップリング５１が設けてある。ストップリング５１はハウジング５に対して摺動可能とされ、先端部に空胴部５２が形成されている。ストップリング５１の外側にはストップリング５１のほぼ全域を包囲する形で外筒であるプラグフレーム５３が設けてある。プラグフレーム５３は、ストップリング５１を包囲し、ストップリングとの係合を行う係合部５４を備え、ハウジング５との間で空間部５５を形成する後端部、フェルール６Ａに対して摺動する摺動部５６を備えた中央部および空胴部５７および係合部５９を備えて、フェルール６Ａの大部分を空胴部５７を介して包囲する先端部とから形成される。
【００７７】
上述した空間部５５および空胴部５２にはコイルばね５８が配設される。コイルばね５８は、圧縮ばねであり、ストップリング５１の空胴部５２とつば部２２に当接して、両部分を引き寄せるように作用する。
【００７８】
このようにして、上述した光ファイバコネクタ端子において、ハウジング（フェルール用ハウジング）５の外側に包囲した形体で、かつ摺動可能にして内筒であるストップリング５１が設けられ、ストップリング５１の外側に包囲した形体で、フェルール６Ａ（コネクタプラグ６）を包囲して、かつストップリング５１の一部において、固着された外筒であるプラグフレーム５３が設けられ、摺動するハウジング５との間につば部２２を介して、もしくは直接的にコイルばね５８が配設される形でコネクタフレーム７０が構成される。
【００７９】
この構成によって、図６（２）に示すように、光ファイバ３が配線されたコネクタプラグ６、光ファイバ被覆体２が配設されたハウジング５およびエレメント部１１が配設され、突起２９を備え、ハウジング５と一体となってハウジングの一部を形成する把持部２５は一体とされてエレメント部１１と一体となってストップリング５１およびプラグフレーム５３に対して摺動することになる。
【００８０】
図６（２）には接続時のフェルール引込み量Ｘを示す。従って、この摺動に要する力は、コネクタ６からハウジング５（上例の場合、つば部２２からハウジング５）を介して、更に把持部（上例の場合、把持部はハウジング把持体４１の一部）２５を介してエレメント部１１に伝えられる形体であり、光ファイバ３および光ファイバ被覆体２には力伝達に当っての余計な力の伝達がなされず、特に光ファイバ３には曲げ歪が加わることがなく、直接的にエレメント部１１に伝えられることになる。そして、この構成によれば、他の光ファイバとの接続なして、フェルール６Ａの先端までの光ファイバ３の配線、光ファイバ被覆体２のファイバ被覆体挿入孔部３８への挿入と固定化、および把持部２５によるエレメント部１１への機械的固定が現地作業でなく、工場作業で行い得、現地作業を極めて容易とする。
【００８１】
図９は、以上のようにして構成したコネクタ接続端子１００をつまみ２００に接続する例を示す。図９（１）に示すように、つまみ２００は、内部に両端部が開放された収納空間部が形成され、コネクタ接続端子１００の係合部５９に係合し、コネクタ接続端子１００を装着可能とする係合部（図示せず）を備える。そして、つまみ２００は、他方の収納空間部２０１からフェルール６Ａがわずかに突き出て配設されるようにする。
【００８２】
このようにして、図９（２）に示すように、コネクタ接続端子１００をカバーする形でつまみ２００が取り付けされて組み立てられ、つまみ２００からフェルール６Ａの先端部２３がわずかに突き出された形体とされてコネクタ装置３００が構成された。
【００８３】
図１０は、二つの光コネクタ接続端子の接続を示す図である。２つの光コネクタ装置３００Ａ，３００Ｂが光アダプタ３０１を介して接続される。光コネクタ３００Ａが本実施例で構成される光コネクタであり、光コネクタ３００が丸型光コード（光ファイバは外被に対してルーズである）を３０２および光コードブーツ３０３を用いた標準のＳＣ型光コネクタを示す。この場合、接続的にフェルール引込み量Ｘとして引込みがコイルばね５８の作用によって屈され２つのコネクタ装置３００Ａ，３００Ｂのそれぞれのフェルールに設けた光ファイバ３同士を強く接触させることになる。
【図面の簡単な説明】
【００８４】
【図１】本発明の実施例の構成を示す図。
【図２】光ファイバケーブルの構成を示す図。
【図３】本発明の他の実施例の構成を示す図。
【図４】本発明の他の実施例の構成を示す図。
【図５】本発明の他の実施例の構成を示す図。
【図６】本発明の他の実施例の構成を示す図。
【図７】図６の断面部の斜視図。
【図８】本実施例で使用するフェルールの構成を示す図。
【図９】コネクタ装置の組み立ておよび完成された時の状態を示す図。
【図１０】２つの光コネクタ端子を接続した時の状態を示す図。
【符号の説明】
【００８５】
１…光ファイバケーブルのエレメント部、２…光ファイバ被覆体、３…光ファイバ、４…熱収縮チューブ、５…ハウジング、６…コネクタプラグ（フェルール付）、１０…通孔部、２１…接続部（後端部）、２２…つば部、２３…フェルール（先端部，基部）、２４…ハウジング本体、２５…把持部（係止部）、２６…接続部、２７…開放端部、２８…光ファイバケーブル挿入孔部、２９…突起、３０，３１…挿入スリット（開放窓部）、３２…蓋、３８…ファイバ被覆体挿入孔部、５１…ストップリング、５３…プラグフレーム、５８…コイルばね、５９…係合部、６０…コネクタ、１００…光ファイバケーブルのコネクタ接続構造。
【図１】
2008241729.tif 000003
【図２】
2008241729.tif 000004
【図３】
2008241729.tif 000005
【図４】
2008241729.tif 000006
【図５】
2008241729.tif 000007
【図６】
2008241729.tif 000008
【図７】
2008241729.tif 000009
【図８】
2008241729.tif 000010
【図９】
2008241729.tif 000011
【図１０】
2008241729.tif 000012